(57)【特許請求の範囲】
【請求項１】
入力電界強度に応じて入力信号の減衰量を調整するＡＧＣ回路を備えるＡＭラジオ受信機に於いて、
前記ＡＧＣ回路の動作に応じてアンテナ結合コンデンサの容量成分またはアンテナ容量とアンテナ結合コンデンサとの合成容量成分及び抵抗によるハイパスフィルタを形成して送電線妨害雑音を除去するアンテナ入力回路を具備することを特徴とするＡＭラジオ受信機。
【請求項２】
請求項１に記載のＡＭラジオ受信機に於いて、
前記ＡＧＣ回路が少なくとも広帯域ＡＧＣ用検出部とＡＧＣ駆動部とを備えることを特徴とするＡＭラジオ受信機。
【請求項３】
請求項１または２に記載のＡＭラジオ受信機に於いて、
前記抵抗は、前記ＡＧＣ回路が動作状態で、ＡＭ受信周波数帯域でのＡＧＣ特性に影響を与えない値に設定されていることを特徴とするＡＭラジオ受信機。
【発明の詳細な説明】
【０００１】
【発明の属する技術分野】
本発明は、送電線妨害対策がなされたＡＭラジオ受信機に関し、特に、車載用に好適なＡＭラジオ受信機であり、例えば、送電線下の電界強度が強い場所で発生する５０〜６０Ｈｚの信号を除去するとともに、ＬＷ（長波）帯の受信感度が改善できるＡＭラジオ受信機に係るものである。
【０００２】
【従来の技術】
図５は、従来のＡＭラジオ受信機に於けるアンテナ入力回路の一例を示す回路図であり、送電線妨害対策がなされたＡＭラジオ受信機に係るものである。同図に於いて、アンテナ１より入った信号はアンテナ結合コンデンサＣ１、ＦＭ除去用のコイルＬ１及びコンデンサＣ３を介して電界効果形トランジスタ（以下、ＦＥＴ）Ｔ１のゲートに入力される。抵抗Ｒ２はＦＥＴＴ１のバイアス抵抗である。コイルＬ１とコンデンサＣ３との接続点Ｎ１にコイルＬ３が接続され、コイルＬ３と結合コンデンサＣ１とによって、送電線による５０〜６０Ｈｚの妨害信号を除去するハイパスフィルタ４を形成している。ＦＥＴＴ１のドレインには利得制御用のトランジスタＴ２が接続され、そのコレクタに同調回路が接続されている。トランジスタＴ２のベースには、ＡＭ検波出力に応じた電圧を有するＡＧＣ信号２が印加され、ＦＥＴＴ１の利得が制御されている。
【０００３】
また、接続点Ｎ１にはコンデンサＣ２の一端が接続され、その他端がダイオードＤ１とＤ２との接続点Ｎ２に接続され、ダイオードＤ１のカソードが接地され、ダイオードＤ２のアノードは広帯域ＡＧＣ回路と接続されている。コンデンサＣ２とダイオードＤ１，Ｄ２によってアンテナ入力信号の減衰器を形成している。ダイオードＤ２のアノードには入力電界強度に応じて広帯域ＡＧＣ回路からＡＧＣ信号１が印加される。接続点Ｎ２のインピーダンスはＡＧＣ（自動利得制御）がかかっていない状態では高く、ＡＧＣが働いた状態ではダイオードＤ１が導通状態となるので低いインピーダンスとなる。コンデンサＣ２は入力信号の最大減衰量を規定する容量に設定されている。
【０００４】
【発明が解決しようとする課題】
送電線妨害対策がなされた従来のＡＭラジオ受信機では、入力信号線と接地間に数ｍＨ〜数１０ｍＨのコイルＬ３を設けられ、アンテナ結合コンデンサＣ１とコイルＬ３とによるハイパスフィルタ４を形成して、送電線による５０〜６０Ｈｚの信号を除去して混変調による音声信号への妨害を防止している。
しかしながら、アンテナ入力回路にコイルＬ３を設けることによって、アンテナ容量等とによる共振によって発振などが発生する問題があり、好ましいものではない。また、コイルＬ３は形状が比較的大きく、実装面積に制約を与える欠点があり、更に、抵抗と比較して価格が高価であるので製造価格の上昇を伴う欠点がある。
【０００５】
また、図６は横軸が受信周波数であり、縦軸が減衰量を示し、この周波数特性は、図５のＡＭラジオ受信機におけるアンテナ入力回路の出力の周波数特性を示している。図５に示すように、その周波数特性は、１０〜２００ＫＨｚの周波数帯域にピーク（減衰極）Ｐが存在する特性を有している。このピークＰはアンテナ入力回路に送電線妨害対策の為に設けられたコイルＬ３と、他のアンテナ容量素子とによって共振回路を形成して、１０〜２００ＫＨｚの周波数帯域にピークＰが生じるためである。このピークＰが生じるこの周波数帯域には、ＬＷ（長波）帯の放送がなされている周波数帯域であり、このような減衰量が変動するピークＰが存在することは放送波の受信に好ましいものではなく、周波数特性が平坦であることが望ましい。
【０００６】
本発明は、上述のような課題に鑑みなされたものであり、送電線妨害対策がなされ、且つ、１０〜２００ＫＨｚの周波数帯域にピーク（減衰極）を有しないアンテナ入力回路を備えるＡＭラジオ受信機を提供することを目的とする。
また、本発明は、アンテナ入力回路の出力の周波数特性が平坦であって、送電線妨害対策が簡便な回路からなり、安価でしかもアンテナ入力回路の実装面積を低減できるＡＭラジオ受信機を提供することを目的とする。
【０００７】
【課題を解決するために手段】
本発明は、上述の目的を達成するためになされたものであり、請求項１の発明は、入力電界強度に応じて入力信号の減衰量を調整するＡＧＣ回路を備えるＡＭラジオ受信機に於いて、
前記ＡＧＣ回路の動作に応じてアンテナ結合コンデンサの容量成分またはアンテナ容量とアンテナ結合コンデンサとの合成容量成分及び抵抗によるハイパスフィルタを形成して送電線妨害雑音周波数を除去するアンテナ入力回路を具備することを特徴とするＡＭラジオ受信機であり、送電線による５０〜６０Ｈｚの信号による混変調によって音質劣化をもたらす妨害対策とし、送電線近傍にＡＭラジオ受信機が存在する場合、その入力電界強度が強いことからＡＧＣの動作に連動してアンテナの形状に合わせて、アンテナ結合コンデンサと抵抗、またはアンテナ容量とアンテナ結合コンデンサとの合成容量成分と抵抗によるハイパスフィルタを構成して、送電線妨害雑音周波数を除去するものである。更に、送電線妨害対策用のコイルを用いることなく、送電線妨害対策がなされており、アンテナ入力回路のアンテナ容量素子と送電線妨害対策用のコイルとによる共振現象が解消できるので、アンテナ入力回路の出力の周波数特性が平坦な特性となる。
【０００８】
また、請求項２の発明は、請求項１に記載のＡＭラジオ受信機に於いて、
前記ＡＧＣ回路が少なくとも広帯域ＡＧＣ用検出部とＡＧＣ駆動部とを備えることを特徴とするＡＭラジオ受信機であり、広帯域ＡＧＣ用検出部からの出力に基づいてＡＧＣ駆動部からのＡＧＣ信号２によってアンテナ入力回路の入力信号を減衰させており、送電線下の電界強度に対するＡＧＣ検出感度を高めることができるとともに、ＡＧＣ信号２によって直ちに送電線妨害雑音周波数除去のためのハイパスフィルタを働かせることができるのでＳＮ比が向上する。
【０００９】
また、請求項３の発明は、請求項１または２に記載のＡＭラジオ受信機に於いて、前記抵抗は、前記ＡＧＣ回路が動作状態で、ＡＭ受信周波数帯域でのＡＧＣ特性に影響を与えない値に設定されていることを特徴とするＡＭラジオ受信機であり、前記抵抗の抵抗値をこのような条件を満たすことによって、送電線妨害対策がなされたとしてもアンテナ入力回路の出力の周波数特性にピーク（減衰極）Ｐが形成されることがないので、ＬＷ帯の放送波の受信に障害を与えることなく送電線妨害対策がなし得る。
【００１０】
更に、本発明は、以下のような構成を含む。
入力電界強度に応じて入力信号の減衰量を調整するＡＧＣ回路を備えるＡＭラジオ受信機に於いて、
前記ＡＧＣ回路からのＡＧＣ信号に基づいてアンテナ入力信号の最大減衰量を設定するコンデンサと、前記コンデンサに並列接続した抵抗と、前記コンデンサと前記抵抗との並列回路に直列接続され、前記ＡＧＣ信号の印加によって抵抗値が変動する可変抵抗素子と、を備えるアンテナ入力回路を具備することを特徴とするＡＭラジオ受信機であり、送電線妨害対策用のコイルを除去したとしても、ＡＧＣ回路からのＡＧＣ信号に連動してアンテナ結合コンデンサと抵抗とによるハイパスフィルタを形成することで、ＡＧＣに連動して働くハイパスフィルタによって送電線妨害雑音周波数を除去することにより、送電線妨害対策がなされている。また、アンテナの形態によっては、アンテナ容量を加味した前記ハイパスフィルタによって送電線妨害雑音信号が除去される。
【００１１】
また、本発明は、入力電界強度に応じて入力信号の減衰量を調整するＡＧＣ回路を備えるＡＭラジオ受信機に於いて、
アンテナ入力信号の最大減衰量を設定するコンデンサと直列接続した可変抵抗素子とからなり、前記可変抵抗素子に前記ＡＧＣ回路からのＡＧＣ信号を印加してアンテナ入力信号を減衰する減衰器を備え、且つ、前記コンデンサに並列接続した抵抗とを備え、前記ＡＧＣ信号の印加に基づいて、アンテナ結合コンデンサと前記抵抗とによって送電線妨害雑音を除去するアンテナ入力回路を具備することを特徴とするＡＭラジオ受信機であり、送電線妨害対策用に設けられたコイルを除去したとしても、ＡＧＣ回路からのＡＧＣ信号に連動してアンテナ結合コンデンサと抵抗とによるハイパスフィルタを働かせることによって送電線妨害雑音信号を除去する送電線妨害対策がなされる。また、アンテナの形態によっては、アンテナ容量を加味した前記ハイパスフィルタによって送電線妨害雑音信号が除去される。
【００１２】
【発明の実施の形態】
以下、本発明に係る実施の形態について図面を参照して説明する。
図１は、本発明のＡＭラジオ受信機の一実施例の要部を示す回路図であり、送電線妨害対策がなされたＡＭラジオ受信機である。同図に於いて、アンテナ１より入った信号はアンテナ結合コンデンサＣ１、ＦＭ除去用のコイルＬ１及びコンデンサＣ３を介してＦＥＴＴ１のゲートに入力される。抵抗Ｒ２はＦＥＴＴ１のバイアス抵抗である。ＦＥＴＴ１のドレインはトランジスタＴ２のエミツタに接続され、そのコレクタに同調回路６が接続されている。同調回路６の出力は混合器へと送られる。トランジスタＴ２のベースにはＡＧＣ駆動回路９からＡＧＣ信号２が狭帯域ＡＧＣ検出出力と広帯域ＡＧＣ検出出力に応じて印加され、高周波増幅段の利得が制御されている。また、高周波増幅段の出力は広帯域ＡＧＣ用検出回路８へと送られ、その検出出力と狭帯域ＡＧＣ検出出力に応じたＡＧＣ信号１が出力され、アンテナ入力回路の入力信号レベルを減衰している。なお、狭帯域ＡＧＣ用検出回路７にはＡＭ検波出力が入力されている。
【００１３】
コイルＬ１とコンデンサＣ３との接続点Ｎ１にはコンデンサＣ２の一端が接続され、その他端がダイオードＤ１とＤ２との接続点Ｎ２に接続され、ダイオードＤ１のカソードが接地され、ダイオードＤ２のアノードがＡＧＣ駆動回路９と接続されている。又、コンデンサＣ２に並列に抵抗Ｒ１が接続されている。
【００１４】
コンデンサＣ２とダイオードＤ１，Ｄ２はアンテナ入力信号を減衰させるための減衰器３を形成している。減衰器３はアンテナ入力信号のレベル、すなわち、入力電界強度に応じて、ＡＧＣ駆動回路９からダイオードＤ２のアノードにＡＧＣ信号１を印加することにより、アンテナ入力信号を減衰する機能を有している。通常、コンデンサＣ２は数千ＰＦの容量を有するコンデンサが用いられている。
【００１５】
本実施例のＡＭラジオ受信機は、このＡＭラジオ受信機が車両に搭載されている場合、送電線の直下または近傍を通過する際、または、送電線に近接した家屋で使用する場合に、送電線による入力電界強度が強いのでＡＧＣが働く。その際、ＡＧＣ信号１がダイオードＤ２のアノードに印加され、減衰器３が働いて、アンテナ結合コンデンサＣ１と抵抗Ｒ１とによるハイパスフィルタ２を形成して、このハイパスフィルタ２によって送電線による５０〜６０Ｈｚの信号を除去するようにしたものである。
因に、通常、狭帯域ＡＧＣ用検出回路７はＩＦフィルタを通過した後の信号、例えば、ＡＭ検波出力を検出し、広帯域ＡＧＣ用検出回路８は高周波増幅段、例えば、高周波増幅回路の出力信号、または混合器の入力信号を検出する。また、車載用のＡＭラジオ受信機では両方のＡＧＣ検出回路を備えており、両検出出力に基づきＡＧＣ駆動回路にてＡＧＣ信号が発生する。
【００１６】
また、入力電界強度が弱い場合には、仮に、５０〜６０Ｈｚ（送電線妨害雑音周波数）の信号が入力されたとしても、元々ＳＮ比が悪いこともあり、妨害が気にならない程度であり、入力電界強度が強い場合のみハイパスフィルタ２によって、送電線による５０〜６０Ｈｚの信号を除去することで十分実用に耐え得る送電線妨害対策がなされる。
【００１７】
また、図２は、本発明の他の実施例を示すＡＭラジオ受信機の要部を示す回路図であり、図１の実施例とはＡＧＣ回路が異なるものの他の回路は図１の実施例と同一であるので、その構成の説明は省略する。本実施例では、ＡＭ検波出力から得られる出力信号に基づいて、減衰器３が動作することによって、アンテナ入力回路の入力信号レベルが自動利得制御されている。その減衰器３の動作は図１の実施例と同一である。ＡＭラジオ受信機が送電線直下にある場合、その電界強度は強くＡＧＣが働く。従って、ＡＧＣ回路１０からのＡＧＣ信号が減衰器３のダイオードＤ２のアノードに印加され、接続点Ｎ２が交流的に接地状態となり、アンテナ結合コンデンサＣ１と抵抗Ｒ１とによるハイパスフィルタ２が働いて送電線による５０〜６０Ｈｚの妨害信号が除去される。
【００１８】
なお、図２の実施例では、ＡＭ検波出力に基づくＡＧＣ信号２によって、減衰器３を制御しているのに対し、図１の実施例では、高周波増幅段のトランジスタＴ２の出力によるＡＧＣ信号１によってもアンテナ入力回路の入力信号線の入力信号レベルを制御している。従って、図１の実施例の方が、送電線下の電界強度に対するＡＧＣ検出感度が高い為に、図２のＡＭラジオ受信機と比較して送電線による５０〜６０Ｈｚの妨害信号を直ちに除去し得るので、不快な雑音が出力され難い利点があり、ＳＮ比の向上に有利である。
【００１９】
次に、本発明の他の実施例について図３のＡＭラジオ受信機の要部を示す回路図を参照して説明する。同図に於いて、アンテナ１より入った信号はアンテナ結合コンデンサＣ１、コイルＬ１及びコンデンサＣ３を介してＦＥＴＴ１のゲートに入力される。抵抗Ｒ２はＦＥＴＴ１のバイアス抵抗である。ＦＥＴＴ１のドレインはトランジスタＴ２のエミツタに接続され、そのコレクタがコイルＬ４を介して抵抗Ｒ３とコンデンサＣ４との並列回路に接続されている。ＦＥＴＴ１のゲートとコイルＬ４と抵抗Ｒ３との接続点Ｎ３に、コンデンサＣ５と抵抗Ｒ４との直列回路が接続されている。トランジスタＴ２のベースには、例えば、ＡＭ検波出力に応じてＡＧＣ信号２が印加される。
【００２０】
また、コイルＬ１とコンデンサＣ３との接続点Ｎ１にはコンデンサＣ２の一端が接続され、コンデンサＣ２の他端がダイオードＤ１とＤ２との接続点Ｎ２に接続されている。ダイオードＤ１のカソードが接地され、ダイオードＤ２のアノードは電界強度に応じてＡＧＣ信号１が印加される。
【００２１】
この実施例では、この抵抗Ｒ３とコンデンサＣ４によるローパスフィルタ（ＬＰＨ）を形成している。このＬＰＨは５０〜６０Ｈｚを検出する為のものである。その周波数が重畳されている直流成分をコンデンサＣ５でカットして抵抗Ｒ４を介してＦＥＴＴ１のゲートに印加して負帰還をかけている。このように負帰還をかけることによって、ＦＥＴＴ１の出力からこの周波数帯域の利得が抑制され、送電線による５０〜６０Ｈｚの妨害信号を減衰することができる。
【００２２】
次に、図４に示した特性を参照して、図１のＡＭラジオ受信機のアンテナ入力回路の出力の周波数特性について説明する。同図の（イ）は減衰器３の非動作状態の場合であり、抵抗Ｒ１の接続点Ｎ２をオープン状態とした場合の特性を示している。（イ）に示すように、アンテナ入力回路の出力の周波数特性は、受信周波数が５０Ｈｚ以上の周波数帯域に於いて、減衰量が−４８ｄＢ内に収まっており、図６に示した特性と比較して平坦な特性であることを示している。無論、従来のＡＭラジオ受信機のアンテナ入力回路に見られたピーク（減衰極）Ｐは存在しない。
【００２３】
一方、同図の（ロ）は、広帯域ＡＧＣ回路８からのＡＧＣが減衰器３に働いた状態の特性を示しており、抵抗Ｒ１は１ＫΩである。（ロ）の特性から明らかなように、受信周波数が５０Ｈｚに於いて減衰量が−１１８ｄＢ以内となっており、７０ｄＢ程度に減衰量が改善されている。従って、本実施例によれば、アンテナ入力回路に送電線妨害対策用のコイルを用いることなく、５０〜６０Ｈｚの妨害信号が除去できる。また、ＡＭラジオ受信機に於けるＬＷ帯の放送波の受信感度を良好なものとすることができる。
【００２４】
なお、本発明の実施例では、詳しくは、ＡＧＣが働いた時点でアンテナ結合コンデンサＣ１と、コンデンサＣ２のインピーダン成分と抵抗Ｒ1 との合成抵抗と、及び、コイルＬ１との直列回路によるハイパスフィルタを形成して、送電線による５０〜６０Ｈｚの妨害信号を減衰している。
無論、このアンテナ入力回路には、アンナの形態によってはそのアンテナ容量を加算して５０〜６０Ｈｚの妨害信号を減衰し得るハイパスフィルタとする。
【００２５】
また、抵抗Ｒ1 はＡＧＣが動作状態で、ＡＭ受信周波数帯域でのＡＧＣ特性に影響を与えない値である必要があり、すなわち、受信周波数でのコンデンサＣ２のインピーダンス成分（数千ｐＦ）に影響を与えない当該成分の例えば１ＭＨｚにおけるインピーダンスの例えば１０程度の抵抗値（数百Ω程度以上）に設定する必要がある。且つ、所定の減衰量に応じた値に抵抗値を設定する必要がある。ＡＧＣが非動作状態ではアンテナからチューナ（受信部）までの５０〜６０Ｈｚの周波数成分におけるインピーダンスが約４０ＭΩであり、ＡＧＣが働いた状態で、更に、６０ｄＢ以上５０〜６０Ｈｚの周波数成分を減衰させようとすると、抵抗Ｒ１の値は４０ＫΩ以下の値となる。当然、５０〜６０Ｈｚの周波数を減衰するハイパスフィルタを構成し得るものでなければならない。なお、実施例では、抵抗Ｒ１を１ＫΩとした場合の特性が図示されているが、この値に限定するものではない。
【００２６】
【発明の効果】
上記に説明したように、本発明は、送電線妨害対策用のコイルをアンテナ入力回路に用いることなく、アンテナ入力信号を減衰するＡＧＣ回路の動作に連動した主にアンテナ結合コンデンサと最大減衰量を設定するコンデンサに並列に接続された抵抗とによるハイパスフィルタによって、送電線による５０〜６０Ｈｚの妨害信号を除去する送電線妨害対策がなされており、送電線妨害対策用のコイルを用いないので、製造価格を安価なものとすることができる利点がある。
【００２７】
また、本発明によれば、送電線妨害対策用のコイルの代わりに抵抗を用い、ＡＧＣとの連動によって、アンテナ入力回路の他のアンテナ容量素子とによる１０〜２００ＫＨｚ帯域に減衰極が形成されることがなく、アンテナ入力回路の出力の周波数特性は平坦なものとなり、且つ、ＬＷ帯の放送を受信するＡＭラジオ受信機の受信感度が良好なものとなる。
【００２８】
また、本発明によれば、アンテナ入力回路の出力の周波数特性が平坦であって、送電線妨害対策が簡便な回路であり、コイルに変えて抵抗で形成できるので、安価でしかもアンテナ入力回路の実装面積を低減できるＡＭラジオ受信機を提供することができる利点がある。
また、本発明によれば、送電線妨害対策がなされるので、車載用のＡＭラジオ受信機として極めて効果的である。
【００２９】
【付記的事項】
本発明のＡＭラジオ受信機は、以下の構成を含むものである。
（１）入力電界強度に応じて入力信号の減衰量を調整するＡＧＣ回路を備えるＡＭラジオ受信機に於いて、
前記ＡＧＣ回路からのＡＧＣ信号に基づいてアンテナ入力信号の最大減衰量を設定するコンデンサと、
前記コンデンサに並列接続した抵抗と、
前記コンデンサと前記抵抗との並列回路に直列接続され、前記ＡＧＣ信号の印加によって抵抗値が変動する可変抵抗素子と、
を備えるアンテナ入力回路を具備するとを特徴とするＡＭラジオ受信機。
【００３０】
（２）入力電界強度に応じて入力信号の減衰量を調整するＡＧＣ回路を備えるＡＭラジオ受信機に於いて、
アンテナ入力信号の最大減衰量を設定するコンデンサと直列接続した可変抵抗素子とからなり、前記可変抵抗素子に前記広帯域ＡＧＣ用検出回路からのＡＧＣ信号を印加してアンテナ入力信号を減衰する減衰器を具備し、且つ、前記コンデンサに並列接続した抵抗とを備え、前記ＡＧＣ信号の印加に基づいて、アンテナ結合コンデンサと前記抵抗との直列回路によって送電線による妨害雑音周波数を除去するアンテナ入力回路を具備することを特徴とするＡＭラジオ受信機。
上記（１），（２）のＡＭラジオ受信機に於いて、アンテナの形態によっては妨害雑音周波数を除去するハイパスフィルタにアンテナ容量を加味したものとする。
【図面の簡単な説明】
【図１】本発明に係るＡＭラジオ受信機の一実施例の要部を示す回路図である。
【図２】本発明に係るＡＭラジオ受信機の他の実施例の要部を示す回路図である。
【図３】本発明に係るＡＭラジオ受信機の他の実施例の要部を示す回路図である。
【図４】図１のＡＭラジオ受信機の受信特性を示す図である。
【図５】従来のＡＭラジオ受信機の一例を示す回路図である。
【図６】図５のＡＭラジオ受信機の受信特性を示す図である。
【符号の説明】
１    アンテナ
２    ハイパスフィルタ
３    減衰器
７    狭帯域ＡＧＣ用検出回路
８    広帯域ＡＧＣ用検出回路
９    ＡＧＣ駆動回路
１０  ＡＧＣ回路
Ｃ１  アンテナ結合コンデンサ
Ｃ２  コンデンサ
Ｃ３  コンデンサ
Ｔ１  電界効果形トランジスタ（ＦＥＴ）
Ｔ２  利得制御用のトランジスタ
Ｒ１  送電線妨害除去用の抵抗
Ｒ２  バイアス用の抵抗
Ｄ１，Ｄ２  ダイオード
【図１】
0003723613.tif 000002
【図２】
0003723613.tif 000003
【図３】
0003723613.tif 000004
【図４】
0003723613.tif 000005
【図５】
0003723613.tif 000006
【図６】
0003723613.tif 000007